(57)【要約】【課題】大型化を招くことなく、低コストでストロボユニットのポップアップ検知と表示ユニットの回転検知が可能な撮像装置を提供する。【解決手段】撮像装置は、装置本体１に設けられるマグネット５１９と、ポップアップ式のストロボユニット５と、ストロボユニット５の可動ユニット５０に設けられ、マグネット５１９の磁界を検知する第１検知部材５２３ａと、装置本体１に対して開閉方向に回転可能に支持され、閉じた状態で収納位置に配置される表示ユニット８と、表示ユニット８に設けられ、マグネット５１９の磁界を検知する第２検知部材８０１ｃと、を備える。第１検知部材５２３ａと第２検知部材８０１ｃとは、可動ユニット５０が収納位置に配置され、かつ表示ユニット８が収納位置に配置されている状態で、マグネット５１９を間に挟むように配置されている。【選択図】図１０
2019074689.tif 000002
【特許請求の範囲】
【請求項１】
装置本体と、
前記装置本体に設けられるマグネットと、
発光部を保持し、前記装置本体から前記装置本体の高さ方向に露出する突出位置と前記装置本体の内部に収納される収納位置との間を移動が可能な保持部材を有するストロボユニットと、
前記保持部材に設けられ、前記マグネットの磁界を検知する第１検知部材と、
前記装置本体に対して開閉方向に回転可能に支持され、閉じた状態で収納位置に配置される表示ユニットと、
前記表示ユニットに設けられ、前記マグネットの磁界を検知する第２検知部材と、を備え、
前記第１検知部材と前記第２検知部材とは、前記保持部材が収納位置に配置され、かつ前記表示ユニットが収納位置に配置されている状態で、前記マグネットを間に挟むように配置されていることを特徴とする撮像装置。
【請求項２】
前記マグネットは、前記装置本体の高さ方向に磁極化され、前記第１検知部材と前記第２検知部材は、いずれも前記装置本体の高さ方向の磁界を検知することを特徴とする請求項１に記載の撮像装置。
【請求項３】
前記マグネットは、前記装置本体の高さ方向に磁極化され、前記第１検知部材と前記第２検知部材は、いずれも前記装置本体の厚さ方向の磁界を検知することを特徴とする請求項１に記載の撮像装置。
【請求項４】
前記マグネットは、前記装置本体の高さ方向に磁極化され、前記第１検知部材は前記装置本体の高さ方向の磁界を検知し、前記第２検知部材は前記装置本体の厚さ方向の磁界を検知することを特徴とする請求項１に記載の撮像装置。
【請求項５】
前記マグネットは、前記装置本体の高さ方向に磁極化され、前記第１検知部材は前記装置本体の厚さ方向の磁界を検知し、前記第２検知部材は前記装置本体の高さ方向の磁界を検知することを特徴とする請求項１に記載の撮像装置。
【請求項６】
前記装置本体は、前記保持部材を収納するベース部材を有し、前記マグネットは、前記ベース部材に対して前記装置本体の背面側から前面側に組み込まれて固定されていることを特徴とする請求項１乃至５のいずれか一項に記載の撮像装置。
【請求項７】
前記マグネットは、前記装置本体の上面カバーに覆われていることを特徴とする請求項１乃至６のいずれか一項に記載の撮像装置。
【請求項８】
前記マグネットは、前記装置本体の背面カバーに覆われていることを特徴とする請求項１乃至６のいずれか一項に記載の撮像装置。
【請求項９】
前記上面カバーは、非磁性体であることを特徴とする請求項７に記載の撮像装置。
【請求項１０】
前記背面カバーは、非磁性体であることを特徴とする請求項８に記載の撮像装置。
【発明の詳細な説明】
【技術分野】
【０００１】
本発明は、デジタルカメラやデジタルビデオカメラ等の撮像装置に関し、特にポップアップ可能なストロボユニットと回転可能な表示ユニットを有する撮像装置に関する。
【背景技術】
【０００２】
デジタルカメラ等の撮像装置では、レンズ鏡筒の繰り出しによるストロボ光のケラレを回避するために、カメラの高さ方向や被写体方向にポップアップするストロボユニットが広く知られている。ストロボユニットの収納位置とポップアップ位置を検知する方法は、特許文献１のように、フォトリフレクタと反射板を使用する方法やマグネットとＧＭＲセンサ等の磁気センサを使用する方法など様々である。
【０００３】
また、表示ユニットに関しては、自分撮りや人混みの中からカメラを頭上に上げて撮影する等の色々なカメラシチュエーションに対応できる回転チルトが可能なものが広く知られている。表示ユニットの収納位置と自分撮りが可能な位置まで１８０°回転させた反転状態を検知する方法は、特許文献２のように、ヒンジの回転軸に配置されたマグネットと表示ユニットに配置されたＧＭＲセンサ等の磁気センサで行っているものがある。
【先行技術文献】
【特許文献】
【０００４】
【特許文献１】特開平０７−３６０９４号公報
【特許文献２】特開２０１１−１５１５０号公報
【発明の概要】
【発明が解決しようとする課題】
【０００５】
しかし、上記特許文献１では、フォトリフレクタと反射板がストロボユニットのポップアップ位置の検知にしか使用されていない。また、上記特許文献２では、マグネットと複数の磁気センサを用いて表示ユニットの開閉と回転を検知してはいるが、表示ユニットに対してのみの検知である。
【０００６】
デジタルカメラにおいては、ポップアップ式のストロボユニットと回転チルト可能な表示ユニットが同時に搭載されるものも多く、それぞれポップアップ検知と回転検知を独立して構成すると、部品点数も多くなって配置スペースも必要となる。このため、デジタルカメラの大型化を招く原因になる。
【０００７】
また、ストロボユニットのポップアップ検知と表示ユニットの回転検知を両方ともマグネットと磁気センサを用いて行う場合、比較的単価の高いマグネットをそれぞれの検知に対して用いることでコストアップにつながる。
【０００８】
そこで、本発明は、大型化を招くことなく、低コストでストロボユニットのポップアップ検知と表示ユニットの回転検知が可能な撮像装置を提供することを目的とする。
【課題を解決するための手段】
【０００９】
上記目的を達成するために、本発明の撮像装置は、装置本体と、前記装置本体に設けられるマグネットと、発光部を保持し、前記装置本体から前記装置本体の高さ方向に露出する突出位置と前記装置本体の内部に収納される収納位置との間を移動が可能な保持部材を有するストロボユニットと、前記保持部材に設けられ、前記マグネットの磁界を検知する第１検知部材と、前記装置本体に対して開閉方向に回転可能に支持され、閉じた状態で収納位置に配置される表示ユニットと、前記表示ユニットに設けられ、前記マグネットの磁界を検知する第２検知部材と、を備え、前記第１検知部材と前記第２検知部材とは、前記保持部材が収納位置に配置され、かつ前記表示ユニットが収納位置に配置されている状態で、前記マグネットを間に挟むように配置されていることを特徴とする。
【発明の効果】
【００１０】
本発明によれば、大型化を招くことなく、低コストでストロボユニットのポップアップ検知と表示ユニットの回転検知が可能な撮像装置を提供することができる。
【図面の簡単な説明】
【００１１】
【図１】本発明の撮像装置の実施形態の一例であるデジタルカメラを正面側から見た斜視図である。
【図２】図１に示すデジタルカメラを背面側から見た斜視図である。
【図３】デジタルカメラの各ユニット毎の正面側から見た分解斜視図である。
【図４】（ａ）はポップアップ状態のストロボユニットを正面側から見た斜視図、（ｂ）は可動ユニットが収納位置にあるストロボユニットを背面側から見た斜視図である。
【図５】ストロボユニットの分解斜視図である。
【図６】（ａ）は表示ユニットの斜視図、（ｂ）は（ａ）に示す表示ユニットを裏面側から見た斜視図である。
【図７】表示ユニットの分解斜視図である。
【図８】（ａ）はストロボユニットの可動ユニット及び表示ユニットの可動部が共に収納位置あるデジタルカメラの側面図、（ｂ）はストロボユニットの可動ユニットがポップアップし、表示ユニットの可動部が１８０°回転した状態を示す側面図である。
【図９】ストロボユニットと表示ユニットが収納状態にあるデジタルカメラの正面図である。
【図１０】図９のＡ−Ａ線断面図である。
【図１１】（ａ）はストロボユニットの検知部材のマグネットに対する移動軌跡を側面カバーユニット側から見た図、（ｂ）は表示ユニットの検知部材のマグネットに対する移動軌跡を側面カバーユニット側から見た図である。
【図１２】マグネットからストロボユニット側に発生する磁界の磁力線の分布を示す図である。
【図１３】ストロボユニットの可動ユニットがカメラ本体から完全に露出した状態をカメラ本体の正面側から見た図である。
【図１４】マグネットからストロボユニット側に発生する磁界のうち、カメラ本体の背面側方向の強度の磁力を等間隔に示す図である。
【図１５】ストロボユニットの保持板金の収納状態からの回転角度に対する磁力の強さを示すグラフ図である。
【図１６】マグネットから表示ユニット側に発生する磁界の磁力線を示す図である。
【図１７】表示ユニットの可動部の回転角度に対する磁力の強さを示すグラフ図である。
【図１８】マグネットから表示ユニット側に発生する磁界のうち、カメラ本体の前面側方向の強度の磁力を等間隔で示す図である。
【発明を実施するための形態】
【００１２】
以下、図面を参照して、本発明の実施形態の一例を説明する。
【００１３】
図１は、本発明の撮像装置の実施形態の一例であるデジタルカメラを正面側から見た斜視図である。図２は、図１に示すデジタルカメラを背面側から見た斜視図である。
【００１４】
図１に示すように、本実施形態のデジタルカメラは、カメラ本体１の正面側に、ズーム式の鏡筒ユニット３及び前面カバーユニット２が設けられている。前面カバーユニット２には、操作リング２０１、切替操作レバー２０２、前面グリップ２０３、及び前面カバー２０４等の外観部品が含まれている。カメラ本体１は、本発明の装置本体の一例に相当する。
【００１５】
操作リング２０１は、鏡筒ユニット３の外周側に設けられ、操作リング２０１を回転操作することにより、撮影機能または撮影パラメータを変更することができる。切替操作レバー２０２は、操作リング２０１の近傍に設けられ、操作リング２０１の回転操作時の操作感の切り替えのためのレバーである。切替操作レバー２０２を鏡筒ユニット３の光軸を中心とする円弧に沿って回転させること、操作リング２０１の回転操作のクリックオン／オフを切り替えることができる。
【００１６】
カメラ本体１の上面部には、電源ボタン４０１、レリーズボタン４０２、及びズームレバー４０３が設けられている。また、カメラ本体１の上面部には、撮影モードを切り替え可能なモードダイヤル４０４、露出補正を切り替え可能な露出補正ダイヤル４０５、及び発光部がポップアップ可能なストロボユニット５が設けられている。ストロボユニット５は、カメラ本体１側面の側面カバーユニット６にあるストロボレバー６０１を操作することで、可動ユニット５０（図４参照）がポップアップする。
【００１７】
図２に示すように、カメラ本体１の背面部には、表示ユニット８が開閉方向に回転可能に支持されている。表示ユニット８は、表示パネル８０１及び表示パネル８０１を保持する保持枠８０３等を有する。また、カメラ本体１の背面部には、背面カバーユニット７の背面カバー７０１、背面グリップ７０２、及び各種操作ボタン群７０３が設けられている。カメラ本体１の側面部には、不図示の通信ボタンや外部機器と接続するための端子が設けられ、これらは端子カバーにより覆われ保護されている。
【００１８】
図３は、デジタルカメラの各ユニット毎の正面側から見た分解斜視図である。図３に示すように、デジタルカメラは、前面カバーユニット２、鏡筒ユニット３、上面カバーユニット４、ストロボユニット５、側面カバーユニット６、背面カバーユニット７、及び表示ユニット８から構成されている。
【００１９】
次に、図４及び図５を参照して、ストロボユニット５を詳細に説明する。図４（ａ）はポップアップ状態のストロボユニット５を正面側から見た斜視図、図４（ｂ）は可動ユニット５０が収納位置にあるストロボユニット５を背面側から見た斜視図である。図５は、ストロボユニット５の分解斜視図である。
【００２０】
図４及び図５に示すように、ストロボユニット５のポップアップ部である可動ユニット５０は、発光部ユニット５０３と、発光部ユニット５０３を保持する保持部材５０４と、カバー部材５０１とがビス５０２で締結されて形成される。カバー部材５０１は、保持部材５０４のカバーとなり、収納時の外観となる。ポップアップ時の可動ユニット５０の支持枠５１は、保持板金５０８に、板金５１１と外観支持部材５１２とがビス５１３によって締結されて形成されている。
【００２１】
回転シャフト５０９とトーションバネ５０６によって、可動ユニット５０が支持枠５１に対して、ポップアップする方向に付勢された状態で回転可能に支持されている。また、回転シャフト５１０とトーションバネ５０７によって、支持枠５１がストロボユニット５の基盤となるベース部材５１４に対して、ポップアップする方向に付勢された状態で回転可能に支持されている。
【００２２】
ベース部材５１４の背面側には、可動ユニット５０を収納位置からポップアップ位置に移動させるレバー部材５１７が設けられている。レバー部材５１７は、圧縮バネ５１８が板金部材５２０の立ち曲げ部５２０ａによってガイドされることで位置を保ち、常に前面側に付勢されている。
【００２３】
板金部材５２０は、ビス５２１によってベース部材５１４に固定され、板金部材５２０の弾性部５２０ｂが保持部材５０４の突起部５０４ｂを前面側に付勢することで、可動ユニット５０を収納位置にガタなく安定した位置に保持している。マグネット５１９は、カメラ本体１の高さ方向に磁極化され、ストロボユニット５の可動ユニット５０が収納位置にあることと、表示ユニット８の回転位置とを検知するために、ベース部材５１４の背面に接着等によって固定されている。
【００２４】
また、ベース部材５１４の背面側には、ストロボ基板５２２と、ストロボ基板５２２に接続されるフレキシブル基板５２３とが設けられている。フレキシブル基板５２３は、ベース部材の開口部５１４ａを通して可動ユニット５０の発光部ユニット５０３に電気的に接続されている。フレキシブル基板５２３の背面側には、マグネット５１９の磁界を検知するＧＭＲセンサやホールＩＣ等の第１検知部材５２３ａ（５２３ａ′）が実装されている。
【００２５】
ベース部材５１４の前面側には、両面テープ５１５を介してコンデンサ５１６が固定されている。ストロボ基板５２２の背面側には、コンデンサ５１６のリード線５１６ａが半田接続され、その半田接続部は、カバー部材５２４によって保護されている。ベース部材５１４の側面部には、回転シャフト５１０と電気導通を取るための導通部材５２５がストラップ部材５２６で挟み込まれた状態でビス５２７により固定される。
【００２６】
次に、図６及び図７を参照して、表示ユニット８について詳細に説明する。図６（ａ）は表示ユニット８の斜視図、図６（ｂ）は図６（ａ）に示す表示ユニット８を裏面側から見た斜視図である。図７は、表示ユニット８の分解斜視図である。
【００２７】
図６及び図７に示すように、表示ユニット８は、最も背面側の表示パネル８０１が両面テープ８０２を介して保持枠８０３に固定されている。表示パネル８０１には、表示部用のフレキシブル基板８０１ａとバックライト用のフレキシブル基板８０１ｂが設けられている。バックライト用のフレキシブル基板８０１ｂの背面側には、前述したマグネット５１９の磁界を検知するＧＭＲセンサやホールＩＣ等の第２検知部材８０１ｃ（８０１ｃ′）が実装されている。
【００２８】
保持枠８０３の前面側には、表示部基板８０４とベース部材８０５、板金部材８０６が設けられ、表示部基板８０４は、表示パネル８０１とベース部材８０５で挟むようにしてビス８０８とビス８１２で締結され、これにより、可動部８０が形成される。板金部材８０６の上部には、回転ヒンジ部８０７が設けられ、前面側に配置される板金部材８０９に対して回転ヒンジ部８０７を回転軸として可動部８０がカメラ本体１に対して約１８０°の角度内で回転することができる。
【００２９】
表示パネル８０１の表示部用のフレキシブル基板８０１ａとバックライト用のフレキシブル基板８０１ｂ、更にカメラ本体１と電気接続を取るフレキシブル基板８１３が表示部基板８０４にコネクタ接続される。最後に外観用のカバー部材８１４を板金部材８０９に対してビス８１５で締結して表示ユニット８が完成となる。
【００３０】
なお、バックライト用のフレキシブル基板８０１ｂは、ベース部材８０５の位置決めボス８０５ａに位置決め穴８０１ｄを合わせて組み込むことで、表示ユニット８に対する第２検知部材８０１ｃ（８０１ｃ′）の位置が決まることになる。表示ユニット８は、背面カバーユニット７に対して固定板金８１１を介してビス締結されることで固定される。そして、板金部材８０９の下側の回転ヒンジ部８１０を回転軸として可動部８０、板金部材８０７、板金部材８０９が一体となって背面下側４５°の角度内で回転することができる。
【００３１】
図８（ａ）は、ストロボユニット５の可動ユニット５０及び表示ユニット８の可動部８０が共に収納位置あるデジタルカメラをカメラ本体１の側面カバーユニット６側から見た図である。図８（ｂ）は、ストロボユニット５の可動ユニット５０がカメラ本体１からポップアップし、表示ユニット８の可動部８０が自分撮り用に１８０°回転した状態を側面カバーユニット６側から見た図である。
【００３２】
ストロボユニット５の可動ユニット５０は、側面カバーユニット６のストロボレバー６０１を押し下げることで、レバー部材５１７（図４）が背面側に移動し保持部材５０４の突起部５０４ｂとレバー部材５１７の切り欠き部５１７ａ（図５）の係合が解除される。
【００３３】
この係合が解除されると、ポップアップする方向に付勢されているトーションバネ５０６，５０７によってそれぞれシャフト５０９、シャフト５１０を回転中心として可動ユニット５０が図８（ｂ）の突出位置まで起き上がる。可動ユニット５０の収納は、手動で可動ユニット５０を押し下げることで、図８（ａ）の状態にし、保持部材５０４の突起部５０４ｂとレバー部材５１７の切り欠き部５１７ａが再び係合することで、その状態が保持される（図５）。
【００３４】
表示ユニット８の可動部８０は、保持枠８０３の下面８０３ａを手動で持ち上げることで、回転ヒンジ部８０７を回転中心として回転する。そして、可動部８０の保持枠８０３の上面８０３ｂが上面カバーユニット４の背面と摺動して保持板金８０９が回転ヒンジ部８１０を回転中心として角度αだけ回転することで１８０°反転の位置となる。
【００３５】
よって、可動部８０の保持板金８０９に対する正確な回転角度は、１８０°と保持板金８０９が回転ヒンジ部８１０を回転中心として回転した角度αとを加えた１８０＋α°ということになる。可動部８０の収納は、保持枠８０３の下面８０３ａ付近を手動で回転させながら下げることで、上記と逆の経路を辿り図８（ａ）の収納状態となる。
【００３６】
このように、図８（ａ）の収納状態から図８（ｂ）のストロボユニット５のポップアップ状態と表示ユニット８の１８０°回転状態への移行の際には、それぞれその状態を検知することが必要となる。ストロボユニット５の場合、可動ユニット５０の収納時にカメラ本体１内部でストロボ発光されて熱がこもり、可動ユニット５０周辺部に焦げ付きや溶融が発生することを防止するためである。また、表示ユニット８の場合、表示パネル８０１に表示されるライブ画像或いは撮影画像を１８０°反転位置で確認できるように、収納状態に対して１８０°反転させた画像を表示させる必要があるからである。
【００３７】
特に、ストロボユニット５は、可動ユニット５０の前面にカメラ本体１の内部部品が存在する間は発光を禁止する必要がある。表示ユニット８の可動部８０は、完全に１８０°反転する寸前まではローアングルで回転させて画像表示を確認する撮影シーンが想定されるため、収納状態と同じ表示を維持する必要がある。
【００３８】
そこで、本実施形態では、ストロボユニット５の位置検知と表示ユニット８の回転検知をするために、１つのマグネット５１９と、第１検知部材５２３ａ（５２３ａ′）と第２検知部材８０１ｃ（８０１ｃ′）を使用する。
【００３９】
図９は、ストロボユニット５と表示ユニット８が収納状態にあるデジタルカメラの正面図である。図１０は、図９のＡ−Ａ線断面図である。
【００４０】
図１０に示すように、ストロボユニット５のベース部材５１４にマグネット５１９が背面側から組み込まれ、接着等によって固定されている。マグネット５１９の前面側には、ストロボユニット５の可動ユニット５０の収納を検知する第１検知部材５２３ａ（５２３ａ′）が設けられている。また、マグネット５１９の背面側には、表示ユニット８の可動部８０の回転を検知する第２検知部材８０１ｃ（８０１ｃ′）が設けられている。
【００４１】
言い換えれば、マグネット５１９は、ストロボユニット５の第１検知部材５２３ａ（５２３ａ′）と表示ユニット８の第２検知部材８０１ｃ（８０１ｃ′）に光軸方向で挟まれている。このような配置にすることで、マグネット５１９の磁界をストロボユニット５の第１検知部材５２３ａ（５２３ａ′）と表示ユニット８の第２検知部材８０１ｃ（８０１ｃ′）で共用し、１つのマグネット５１９でそれぞれの検知を満足することが可能となる。
【００４２】
次に、図１１乃至図１８を参照して、ストロボユニット５の収納検知及び表示ユニット８の回転検知の詳細について説明する。図１１（ａ）は、ストロボユニット５の第１検知部材５２３ａ（５２３ａ′）のマグネット５１９に対する移動軌跡を側面カバーユニット６側から見た図である。図１１（ｂ）は、表示ユニット８の第２検知部材８０１ｃ（８０１ｃ′）のマグネット５１９に対する移動軌跡を側面カバーユニット６側から見た図である。なお、図１１では、ストロボユニット５の収納位置からポップアップ位置、及び表示ユニット８の収納位置から１８０°反転位置までの軌跡を示している。また、第１検知部材５２３ａ（５２３ａ′）と第２検知部材８０１ｃ（８０１ｃ′）の姿勢を判り易くするために、収納位置を上向きの矢印で表している。
【００４３】
図１１（ａ）に示すように、ストロボユニット５の第１検知部材５２３ａ（５２３ａ′）は、収納位置からカメラ本体１の上面側に移動し、その後、カメラ本体１の上面側への移動を続けながらカメラ本体１の前面側へ移動してポップアップ位置に到達する。表示ユニット８の第２検知部材８０１ｃ（８０１ｃ′）は、図１１（ｂ）に示すように、収納位置から図の矢印のように反時計方向に回転を始める。そして、カメラ本体１の上面側に最も移動した位置で９０°回転となり、更に反時計方向への回転を続けて１８０°反転位置に到達する。ここで、表示ユニット８の第２検知部材８０１ｃ（８０１ｃ′）の回転軌跡が円でないのは、前述したように、回転ヒンジ部８０７を回転中心とした回転と同時に回転ヒンジ部８１０を回転中心とした板金部材８０９の回転も伴うからである。
【００４４】
図１２は、マグネット５１９からストロボユニット５側に発生する磁界の磁力線の分布を示す図である。図１３は、ストロボユニット５の可動ユニット５０がカメラ本体１から完全に露出した状態をカメラ本体１の正面側から見た図である。なお、図１２において、矢印は磁界の向きを示しており、線の色が濃い程磁力が強く、薄くなるにつれて磁力が弱まっていくことを示している。また、ここで用いるストロボユニット５の第１検知部材５２３ａは、カメラ本体１の上面側方向の強度の磁力を検知可能なＧＭＲセンサ等の磁気センサを想定している。
【００４５】
ストロボユニット５の第１検知部材５２３ａが収納位置から図１１（ａ）に示した軌跡に沿って移動して途中で図中の矢印の磁力線が第１検知部材５２３ａの検知オン／オフを分けるスレッシュ境界となっている。よって、図１２に示すように、このスレッシュ境界を越えるまでの領域は、ストロボユニット５の第１検知部材５２３ａが検知オン状態となり、これを越えると検知オフ状態となる。検知オン時には、不図示の制御部は、ストロボユニット５のストロボ光を発光禁止に制御する。
【００４６】
このスレッシュ境界を越えたＡ位置にストロボユニット５の第１検知部材５２３ａが移動したとき、ストロボユニット５の可動ユニット５０は、図１３に示すように、可動ユニット５０の発光部ユニット５０３が完全に露出した状態になる。このＡ位置では、発光部ユニット５０３の前面にストロボ光の遮蔽物がないため、熱もこもらず、前述した焦げ付きや溶融が発生するおそれもなくなる。
【００４７】
このように、マグネット５１９の磁界を検知することで、ストロボユニット５の可動ユニット５０の収納状態や可動ユニット５０の上面を押さえながら少しポップアップさせたとしても、発光部ユニット５０３が露出するまでは発光できない。このため、デジタルカメラの安全性を保つことができる。
【００４８】
図１４は、マグネット５１９からストロボユニット５側に発生する磁界のうち、カメラ本体１の背面側方向の強度の磁力を等間隔に示す図である。図１４では、図１２と同様に、線の色が濃い程磁力が強く、薄くなるにつれて磁力が弱まっていくことを示している。
【００４９】
マグネット５１９から発生する磁力線は、Ｎ極からＳ極に向けて入り込むが、Ｎ極からマグネット５１９の磁極中心までの磁力は、カメラ本体１の背面側方向の分力がないため、Ｎ極側に磁力が発生していないかのように見えている。ここで用いるストロボユニット５の第１検知部材５２３ａ′は、カメラ本体１の背面側方向の強度の磁力を検知可能なホールＩＣ等の磁気センサを想定している。
【００５０】
ストロボユニット５の第１検知部材５２３ａ′が収納位置から図１１（ａ）に示した軌跡に沿って移動していく中で図中の矢印の磁力線が第１検知部材５２３ａ′の検知オン／オフを分けるスレッシュ境界となっている。よって、このスレッシュ境界を越えるまでの領域は、ストロボユニット５の第１検知部材５２３ａ′が検知オン状態となり、これを越えると検知オフ状態となる。検知オン時には、前述と同様に、不図示の制御部は、ストロボユニット５のストロボ光を発光禁止に制御する。
【００５１】
図１５は、ストロボユニット５の保持板金５０８の収納状態からの回転角度に対する磁力の強さ（検知磁束密度）を示すグラフ図である。図１５において、βｍＴは、図１４のスレッシュ境界の磁力と一致し、βｍＴを越えると、検知オン状態となり、βｍＴ以下では検知オフ状態となる。また、図１４のＢ位置は、保持板金５０８の回転角度４０°のプロットとほぼ一致する。
【００５２】
このように、マグネット５１９の背面側方向の磁界を検知することでもストロボユニット５の可動ユニット５０の位置を検出することができる。但し、マグネット５１９の背面側方向の磁界を検知する場合、ストロボユニット５の第１検知部材５２３ａは、収納状態でマグネット５１９の磁極中心よりも上面側に位置することが必要である。前述したように、磁極中心よりも下面側のＮ極の領域では磁力の背面側方向の分力がなくなり、検知オフ状態に切り替わってしまうからである。
【００５３】
よって、マグネット５１９の背面側方向の磁界を検知する場合は、図１１（ａ）に示したストロボユニット５の第１検知部材５２３ａ′の軌跡では成立せず、収納状態の位置をマグネット５１９の磁極中心よりも上面側に配置する必要がある。
【００５４】
図１６は、マグネット５１９から表示ユニット８側に発生する磁界の磁力線を示す図であり、矢印は磁界の向きを示している。ここで用いる表示ユニット８の第２検知部材８０１ｃは、カメラ本体１の上面側方向のベクトルの磁力を検知可能なＧＭＲセンサ等の磁気センサを想定している。
【００５５】
表示ユニット８の第２検知部材８０１ｃが収納位置から図１１（ｂ）に示した軌跡に沿って移動していく中で収納位置から９０°回転したＣ１位置までは磁界の上面側方向のベクトルが全くないため、第２検知部材８０１ｃは検知オフ状態を維持する。表示ユニット８が更に回転を続けてＣ２近辺まで到達すると、矢印の磁力線が第２検知部材８０１ｃの検知オン／オフ分けるスレッシュ境界となっているため、スレッシュ境界を越えると検知オン状態となって表示パネル８０１の表示画像を反転させる。
【００５６】
図１７は、表示ユニット８の可動部８０の回転角度に対する磁力の強さ（検知磁束密度）を示すグラフ図である。図１７に示すように、表示ユニット８の第２検知部材８０１ｃの検知磁束密度の境界値はγｍＴであるため、回転角１６０°のＣ２位置では、まだ検知オフ状態となっており、回転角１７０°のＣ３位置に移動するまでの間で検知オン状態に切り替わる。
【００５７】
前述したように、表示ユニット８の可動部８０は、１８０°反転位置の寸前で検知オン状態に切り替わることが望ましいため、表示画像が反転しないことがないように検出余裕を設けて回転角１６０°〜１７０°辺りで切り替わるように設定する方がよい。このように、カメラ本体１の高さ方向の磁界を検知することで、カメラ本体１の表示ユニット８に対する快適な操作性、視認性を保つことができる。
【００５８】
図１８は、マグネット５１９から表示ユニット８側に発生する磁界のうち、カメラ本体１の前面側方向の強度の磁力を等間隔で示す図である。マグネット５１９から発生する磁力線は、Ｎ極からＳ極に向けて入り込むが、Ｎ極からマグネット５１９の磁極中心までの磁力は前面側方向の分力がないため、Ｎ極側に磁力が発生していないかのように見えている。ここで用いる表示ユニット８の第２検知部材８０１ｃ′は、表示画像の反転時にカメラ本体１の前面側方向のベクトルの磁力を検知可能なホールＩＣ等の磁気センサを想定している。
【００５９】
図１６の場合とは異なり、第２検知部材８０１ｃ′が収納位置と少し回転したＤ１位置にあるときは図中には示されていない磁力の背面側方向の分力が生じているが、スレッシュ境界に届かない微弱な磁力であり且つ磁界の向きが逆である。このため、表示ユニット８の第２検知部材８０１ｃ′は検知オフ状態となっている。
【００６０】
更に表示ユニット８が回転して磁極中心を越えて回転角９０°のＤ２位置までは、第２検知部材８０１ｃ′の検知方向と磁界の向きが逆転しているため、検知せず検知オフ状態となっている。更に表示ユニット８が回転してＤ３位置に到達するまでの間にスレッシュ境界を越えて、Ｄ３位置、Ｄ４位置、１８０°反転位置では、磁力を検知して検知オン状態となる。このように、カメラ本体１の厚さ方向の磁界を検知することによっても表示ユニット８の可動部８０の回転検知をすることができる。
【００６１】
なお、本実施形態では、第１検知部材５２３ａ（５２３ａ′）、第２検知部材８０１ｃ（８０１ｃ′）共に検知オン／オフが切り替わる磁界を固定値としているが、通常ヒステリシスがあるためその分の余裕を確保することが必要である。検知部材自体が持つ検知ばらつきやフレキシブル基板等に実装される場合はその実装ずれ等も考量して適切に配置する必要がある。
【００６２】
以上説明したように、本実施形態では、ストロボユニット５のポップアップ検知と表示ユニット８の回転検知を行う際に用いる比較的高価で配置スペースを必要とするマグネット５１９が一つで足りる。このため、大型化を招くことなく、低コストでストロボユニット５のポップアップ検知と表示ユニット８の回転検知が可能なデジタルカメラを提供することできる。
【００６３】
なお、本発明の構成は、上記実施形態に例示したものに限定されるものではなく、材質、形状、寸法、形態、数、配置箇所等は、本発明の要旨を逸脱しない範囲において適宜変更可能である。
【００６４】
例えば、上記実施形態では、表示ユニット８の可動部８０を開閉方向に１８０°回転と下側４５°回転とで２軸を設定しているが、可動部８０を開閉方向に１８０°回転だけの１軸設定のデジタルカメラであってもよい。
【００６５】
また、上記実施形態では、マグネット５１９を上面カバーで覆っているが、背面カバーで覆ってもよい。その場合、上面カバーや背面カバーの材料は共にマグネット５１９の磁界を遮らない非磁性体であることが必要である。
【００６６】
更に、ストロボユニット５のポップアップ検知と表示ユニット８の回転検知は、前述した条件を満たせば、カメラ本体１の高さ方向の検知でもカメラ本体１の厚さ方向の検知でも可能であるため、その組み合わせは自由に変更できる。
【符号の説明】
【００６７】
１  カメラ本体
５  ストロボユニット
８  表示ユニット
５０  可動ユニット
８０  可動部
５１９  マグネット
５２３ａ，５２３ａ′  第１検知部材
８０１ｃ，８０１ｃ′  第２検知部材
【図１】
2019074689.tif 000003
【図２】
2019074689.tif 000004
【図３】
2019074689.tif 000005
【図４】
2019074689.tif 000006
【図５】
2019074689.tif 000007
【図６】
2019074689.tif 000008
【図７】
2019074689.tif 000009
【図８】
2019074689.tif 000010
【図９】
2019074689.tif 000011
【図１０】
2019074689.tif 000012
【図１１】
2019074689.tif 000013
【図１２】
2019074689.tif 000014
【図１３】
2019074689.tif 000015
【図１４】
2019074689.tif 000016
【図１５】
2019074689.tif 000017
【図１６】
2019074689.tif 000018
【図１７】
2019074689.tif 000019
【図１８】
2019074689.tif 000020